(57)【要約】【課題】  天井板支持具内へ差し込まれる天井板の位置合わせを簡易かつ確実にし、天井板支持具内の換気通路を確保できる技術を提供することにある。【解決手段】  天井板支持具４０は、壁面９０に取り付けられ、換気可能に天井板９１を支持する。天井板支持具４０内にあっては、差し込まれた天井板９１の一端部を下方から支持する天井板支持部５６の端縁を起立させた起立部６０を備える。この起立部６０が、天井板支持具４０に差し込まれた天井板９１の側面９３と当接することで、天井板９１の位置合わせがなされ、天井板支持具４０内の換気通路５０を確保できる。【選択図】  図２
2005105613.tif 000002
【特許請求の範囲】
【請求項１】
壁面に取り付けられ、換気可能に天井板を支持する天井板支持具であって、
天井板支持具内にあって、差し込まれた天井板を下方から支持する天井板支持部の端縁を起立させた起立部を備え、
その起立部が天井板の側面と当接することを特徴とする天井板支持具。
【請求項２】
壁面に取り付けられ、換気可能に天井板を支持する天井板支持具であって、
壁面と接し、取付孔を有する背板部と、
背板部の上端から反壁面側前方に延びながら先端をやや下方へ折曲させ、換気孔を有する上面部と、
背板部の下端から反壁面側前方に延びながら、換気孔を有する下面部と、
下面部の先端から上方に折曲する折曲部と、
折曲部から天井板支持具内へ折れ曲がり、天井板支持具内へ差し込まれた天井板を下方から支持する天井板支持部と、
天井板支持部の端縁を起立させた起立部とを備え、
起立部が天井板の側面と当接することを特徴とする天井板支持具。
【発明の詳細な説明】
【技術分野】
【０００１】
本発明は、壁面に取り付けられ、換気可能に天井板を支持する天井板支持具に関するものである。
【背景技術】
【０００２】
従来よりある天井板の支持構造を図４に示す。
上面２と下面３にそれぞれスリット上の換気孔４，５の設けられた略Ｇ字形の天井板支持具１を、壁面（図示せず）に取り付ける。そして、この天井板支持具１に天井板８を差し込み、天井板８の一端部９を支持するものである。
【０００３】
このとき、上面２と下面３に設けられた換気孔４，５によって形成される換気通路６を確保する必要がある。このため、天井板８は、天井板支持具１内の奥まで差し込まず、図示するような換気通路６手前に位置合わせされている。この天井板８の位置合わせは、施工者が目視によって行っているのが現状である。
【０００４】
これに対して、特許文献１には、軒天ランナー１７（天井板支持具）内にスペーサー２９を嵌め込んで軒天面材差込溝１４を浅くし、隙間３２（換気通路）を確保する技術が開示されている（明細書段落番号０００７及び図３他）。
【０００５】
【特許文献１】実開平５−３２５３１号公報
【発明の開示】
【発明が解決しようとする課題】
【０００６】
しかし、この特許文献１の構造では、次のような課題がある。
（１）一旦スペーサー２９を軒天ランナー１７（天井板支持具）内に嵌め込み、その後、    スペーサー２９の上から釘１２を打ち込んで外壁に取り付ける一連の作業は、狭いス    ペーサー２９内で現実的には困難であり、施工上の問題がある。
（２）スペーサー２９による固定強度の低下、すなわち、スペーサー２９の取り付けが作    業の煩雑さにより不完全となり、その場合に軒天ランナー１７（天井板支持具）の外    壁への留め付けがガタついたり、外れやすくなるなどの設備管理上の問題がある。
（３）また、スペーサー２９が大きいために、軒天ランナー１７（天井板支持具）の通気    性能を低下させたり、スペーサー２９部分にはスリット１８を形成できないために、    同様に軒天ランナー１７（天井板支持具）の通気性能を低下させるなどの性能上の問    題がある。
【０００７】
そこで本発明は、特許文献１とは異なる構造で、天井板支持具内へ差し込まれる天井板の位置合わせを簡易かつ確実にし、天井板支持具内の換気通路を確保できる技術を提供することを目的とする。
【課題を解決するための手段】
【０００８】
上記目的を達成するために、第一の発明は、壁面に取り付けられ、換気可能に天井板を支持する天井板支持具であって、天井板支持具内にあって、差し込まれた天井板を下方から支持する天井板支持部の端縁を起立させた起立部を備え、その起立部が天井板の側面と当接することを特徴とするものである。
第一の発明によれば、天井板支持具内の起立部が、天井板支持具に差し込まれた天井板の側面と当接することで、天井板支持具内における天井板の位置を決定し、天井板の位置合わせがなされたことになる。
【０００９】
第二の発明は、壁面に取り付けられ、換気可能に天井板を支持する天井板支持具であって、壁面と接し、取付孔を有する背板部と、背板部の上端から反壁面側前方に延びながら先端をやや下方へ折曲させ、換気孔を有する上面部と、背板部の下端から反壁面側前方に延びながら、換気孔を有する下面部と、下面部の先端から上方に折曲する折曲部と、折曲部から天井板支持具内へ折れ曲がり、天井板支持具内へ差し込まれた天井板を下方から支持する天井板支持部と、天井板支持部の端縁を起立させた起立部とを備え、起立部が天井板の側面と当接することを特徴とするものである。
第二の発明も、第一の発明と同様に、天井板支持具内の起立部が、天井板支持具に差し込まれた天井板の側面と当接することで、天井板支持具内における天井板の位置を決定し、天井板の位置合わせがなされたことになる。
【発明の効果】
【００１０】
本発明によれば、以下の効果を奏する。
（１）差し込まれた天井板の側面と天井板支持具内の起立部とが当接することで、天井板    の位置合わせを簡易かつ確実に行うことができる。
（２）天井板の取り付けにばらつきが少なくなって換気通路を確保でき、安定した換気が    できるようになる。そして、建物自体の耐久性も向上する。
（３）目視によらず天井板の位置合わせを行えるので、施工時間を大幅に短縮できる。
（４）天井板支持具の他に特別な部材は不要であり、施工が容易になる他、コスト削減に    もなる。
【発明を実施するための最良の形態】
【００１１】
本発明の実施形態を図面に基づいて説明する。
図１は、本発明の天井板支持具を示す斜視図である。
図１に示すように、天井板支持具４０は、壁面（図示せず）と接する背板部４１に、取付孔４２，４２，…を備える。また、背板部４１の上端からは壁面とは反対方向前方に延びながら先端４７をやや下方へ折曲させ、スリット状の換気孔４８，４８，…を有する上面部４６を備える。
【００１２】
さらに、背板部４１の下端からは、上面部４６と同様に壁面とは反対方向前方に延びながら、スリット状の換気孔５３，５３，…を有する下面部５１を備える。
この下面５１の先端５２は上方へ折曲する折曲部５４を備え、次いで、折曲部５４から天井板支持具４０内へ折れ曲がり、下面部５１と平行な天井板支持部５６を備える。天井板支持部５６は、天井板支持具４０へ差し込まれた天井板（図示せず）を下方から支持するものである。
そして、天井板支持部の端縁を起立させた起立部６０とを備える。
【００１３】
図２は、壁面９０に取り付けられた天井板支持具４０が、実際に天井板９１を支持している状態を示す断面図である。
図２に示すように、天井板支持具４０は、取付孔４２を介してビス９５を外壁９７及び下地９８へ挿通することによって壁面９０に取り付けられている。
【００１４】
そして、天井板支持具４０に差し込まれた天井板９１は、その一端部９２が天井板支持具４０の天井板支持部５６によって下方から支持されるとともに、その側面９３が起立部６０と当接する。これによって他に特別な部材を用いずに、天井板９１の位置合わせが確実となり、天井板支持具４０上面４６の換気孔４８，４８，…と下面５１の換気孔５３，５３，…とによって形成される換気通路５０を確保できる。
【００１５】
図３は、その他の実施形態を示す断面図であり、背板部４１の壁面（図示せず）側に緩衝部材９６を取り付けたものである。壁面に凹凸がある場合に、この緩衝部材９６を用いることで、天井板支持具４０を壁面に安定して取り付けることができるようになる。
なお、第一の実施形態と同じものについては、同一の符号を付す。
また図示省略するが、天井板支持具４０内には、熱膨張する発泡材を取り付けておき、火災時に熱風によりその発泡材を膨張させ、換気通路５０を閉塞させる防火対策を施してもよい。
【産業上の利用可能性】
【００１６】
本発明による天井板支持具は、軒裏の天井板支持の他、様々な場所に施工される天井板を支持するための装置として広く利用できるものである。
【図面の簡単な説明】
【００１７】
【図１】本発明の実施形態を示す斜視図。
【図２】本発明の実施形態を示す断面図。
【図３】その他の実施形態を示す断面図。
【図４】従来の技術を示す斜視図。
【符号の説明】
【００１８】
１    天井板支持具
２    上面
３    下面
４，５    換気孔
６    換気通路
８    天井板
９    一端部
４０    支持具本体
４１    背板部
４２    取付孔
４３    切抜片
４６    上面部
４７    先端
４８    換気孔
５０    換気通路
５１    下面部
５２    先端
５３    換気孔
５４    折曲部
５６    天井板支持部
６０    起立部
９０    壁面
９１    天井板
９２    一端部
９３    側面
９５    ビス
９６    緩衝部材
９７    外壁
９８    下地
【図１】
2005105613.tif 000003
【図２】
2005105613.tif 000004
【図３】
2005105613.tif 000005
【図４】
2005105613.tif 000006